(57)【要約】【課題】  一連の動作の中でＩＣカード３に対して残高の表示処理と決済処理を行うことができ、また複数のＩＣカード３に対してでも一連の動作の中で残高の表示処理と決済処理を行うことのできる非接触型端末装置を提供する。【解決手段】  非接触状態で電磁誘導あるいは電磁結合によりＩＣチップとの間で無線通信可能なアンテナ部４３を備え、アンテナ部４３から送信される電磁気出力を、残高確認の処理を行うための強い出力と、決済処理を行うための弱い出力になるようにし、一連の動作の中でＩＣカード３に対して残高の表示処理と決済処理を行う、あるいは、複数のＩＣカード３に対してでも一連の動作の中で残高の表示処理と決済処理を行う。【選択図】  図４
2006262455.tif 000002
【特許請求の範囲】
【請求項１】
読み書き可能なＩＣチップを有するバリュー情報記録媒体に対して非接触で情報を処理する非接触型端末装置において、
前記バリュー情報記録媒体と電磁誘導あるいは電磁結合により無線通信し、ＩＣチップとの間で情報の送受信を行うアンテナ部と、
前記アンテナ部から送信される電磁気出力を、複数の処理に対応して複数の出力に制御する出力制御手段と
を備えたことを特徴とする非接触型端末装置。
【請求項２】
読み書き可能なＩＣチップを有するバリュー情報記録媒体に対して非接触で情報を処理する非接触型端末装置において、
前記バリュー情報記録媒体と電磁誘導あるいは電磁結合により無線通信し、ＩＣチップとの間で情報の送受信を行うアンテナ部と、
前記アンテナ部から送信される電磁気出力を、第１の処理を行うための第１の出力で送信する第１の出力手段と、
前記アンテナ部から送信される電磁気出力を、第１の処理の後に実行される第２の処理を行うための第２の出力で送信する第２の出力手段と
を備えたことを特徴とする非接触型端末装置。
【請求項３】
読み書き可能なＩＣチップを有するバリュー情報記録媒体に対して非接触で情報を処理する非接触型端末装置において、
前記バリュー情報記録媒体と電磁誘導あるいは電磁結合により無線通信し、ＩＣチップとの間で情報の送受信を行うアンテナ部と、
前記アンテナ部から送信される電磁気出力を、第１の処理を行う際には第１の出力に制御し、第１の処理の後に実行される第２の処理を行う際には第２の出力に制御する出力制御手段と
を備えたことを特徴とする非接触型端末装置。
【請求項４】
請求項２または３において、
第１の出力の出力強度よりも第２の出力の出力強度が弱く設定されていることを特徴とする非接触型端末装置。
【請求項５】
請求項２から４のいずれかにおいて、
第１の処理を実行した後に第２の出力を送信した際に所定時間の間第２の処理が実行されない場合には、第１の出力に切り換える機能を備えたことを特徴とする非接触型端末装置。
【請求項６】
読み書き可能なＩＣチップを有するバリュー情報記録媒体に対して非接触で情報を処理する非接触型端末装置において、
前記バリュー情報記録媒体と電磁誘導あるいは電磁結合により無線通信し、ＩＣチップとの間で情報の送受信を行うアンテナ部と、
前記アンテナ部に送信出力を供給する出力手段と、
前記アンテナ部からの受信入力を検知する入力手段と、
前記出力手段が前記アンテナ部に供給する出力を可変制御する出力制御手段と
前記入力手段で検知した受信入力に基づいて、第１の処理もしくは第２の処理を実行する制御手段とを備え、
前記出力制御手段は、
前記出力手段が前記アンテナ部に供給する出力を、第１の出力もしくは第２の出力に制御し、
前記アンテナ部に供給する出力を第１の出力に制御した後に、前記制御手段が前記入力手段によって検知された受信入力に基づいた第１の処理を実行した場合、前記出力手段が前記アンテナ部に供給する出力を、前記入力手段が受信入力を検知できなくなる第２の出力に制御し、
前記制御部は、前記出力制御手段が前記アンテナ部に供給する出力を第２の出力に制御した後に、前記入力手段によって検知された受信入力に基づいて、第２の処理を実行する
ことを特徴とする非接触型端末装置。
【請求項７】
請求項６において、
出力制御手段は、前記アンテナ部が第２の出力を送信した際に所定時間の間入力手段が受信入力を検知しない場合には、第１の出力に切り換える機能を有する出力制御手段であることを特徴とする非接触型端末装置。
【請求項８】
請求項２から７のいずれかにおいて、
前記第１の処理は前記バリュー情報記録媒体の内容の読み取り処理であり、前記第２の処理はは前記バリュー情報記録媒体の内容への書き込みを含む処理であることを特徴とする非接触型端末装置。
【請求項９】
請求項２から７のいずれかにおいて、
前記バリュー情報記録媒体は決済メディアであり、前記第１の処理は前記決済メディアの内容の確認処理であり、前記第２の処理は決済処理であることを特徴とする非接触型端末装置。
【請求項１０】
請求項１から９のいずれかにおいて、
前記ＩＣチップとの間で通信する情報は少なくとも金額を含む情報であることを特徴とする非接触型端末装置。
【発明の詳細な説明】
【技術分野】
【０００１】
本発明は、ＩＣチップを有するＩＣカード等のバリュー情報記録媒体に対して非接触状態で通信を行い、ＩＣチップの読み取り及び書き込みを行う非接触型端末装置に関するものである。
【背景技術】
【０００２】
近年、キャッシュレス化の進展や電子マネーの普及に伴い、流通等の様々な分野でバリュー保持メディアとしてＩＣカードを利用したサービスやシステムが各種提供されている。その中でも特に使い易さ等の点において、非接触式のＩＣカードが注目を集めている。また、この非接触式のＩＣカード内に内蔵されている超小型なＩＣチップに、電子マネーや電子チケット（定期券、乗車券、航空券等）の電子的価値情報（電子バリュー）を格納し、各種決済、例えば、駅の自動券売機の決済、飲料等の自動販売機の決済及び店舗での決済や各種施設への入場等に利用することが考えられている。
【０００３】
このようなＩＣカードを利用する場合、一般的にＩＣカードに対して非接触状態で無線通信を行い、内部のＩＣチップに記録されている情報を読み取ったり、新たな情報をＩＣチップに書き込む非接触型端末装置としてのリーダライタ装置が用いられている（例えば、特許文献１及び特許文献２参照）。
【０００４】
このようなリーダライタ装置は、ＩＣチップと無線通信可能なアンテナを内部に有する読み取り面（読み取り部）を備えている。そして、ＩＣカードの保持者は、この読み取り面にＩＣカードを近接するようにかざしてＩＣチップの読み取り及び書き込みを行わせることで、上述した電子マネーによる各種決済等を行うことができる。また、ＩＣチップの読み取り及び書き込みが終了、即ち、電子マネーの決済が終了したか否かは、リーダライタ装置に設けられた表示部の内容を確認することで、容易に判断することができる。
【０００５】
ＩＣカードを用いた処理（決済処理等）では、ＩＣカードをリーダライタ装置に近づける動作が使用者の支払いの意思となる。しかし、電子マネーとしてのＩＣカードは、残金がどれ位残っているか等は残高確認装置を用いないとわからないものであった。
【０００６】
近年、バリュー保持メディアとしてＩＣカードや携帯電話等、非接触型バリュー情報記録媒体が急速に普及し、使用者が所有するメディア数は複数が当然になってきている。非接触型バリュー情報記録媒体では、確認端末を用いないと状態（残高等）がわからないため、支払いの際に意図しない非接触型バリュー情報記録媒体を使用してしまう虞があった。
【０００７】
リーダライタ装置として、残高の確認が行えるものが普及しており（例えば、特許文献３参照）、残高確認が可能なリーダライタ装置を用いることで、操作キー等の操作を行うだけで残高確認が可能になる。
【０００８】
しかし、残高確認が可能なリーダライタ装置を用いた場合でも、操作キー等の操作や確認後に使用するかしないか等手順が複雑になり、処理としては毎回中断されてしまい非接触型バリュー情報記録媒体を使用する優位性が損なわれてしまう虞があった。同一の非接触型バリュー情報記録媒体を用いて再度の処理を可能にした技術（例えば、特許文献４参照）も知られているが、同一の非接触型バリュー情報記録媒体に対しての処理であり、例えば、残高確認を行ってから複数の非接触型バリュー情報記録媒体を使い分ける、といったような使い方には対応できないのが現状である。
【特許文献１】特開２００２−１３３３７８号公報
【特許文献２】特開２００３−１４１４６３号公報
【特許文献３】特開２００１−２５６５６５号公報
【特許文献４】特開２００４−３１８７０７号公報
【発明の開示】
【発明が解決しようとする課題】
【０００９】
本発明は上記状況に鑑みてなされたもので、一連の動作の中で複数の非接触型バリュー情報記録媒体に対してでも複数の処理を行うことができる非接触型端末装置を提供することを目的とする。
【課題を解決するための手段】
【００１０】
上記目的を達成するための本発明の第１の態様は、読み書き可能なＩＣチップを有するバリュー情報記録媒体に対して非接触で情報を処理する非接触型端末装置において、前記バリュー情報記録媒体と電磁誘導あるいは電磁結合により無線通信し、ＩＣチップとの間で情報の送受信を行うアンテナ部と、前記アンテナ部から送信される電磁気出力を、複数の処理に対応して複数の出力に制御する出力制御手段とを備えたことを特徴とする非接触型端末装置にある。
【００１１】
第１の態様では、出力制御手段により電磁気出力を複数の処理に対応して複数の出力にするので、バリュー情報記録媒体に対して一連の動作の中で複数の処理を行うことができる。
【００１２】
本発明の第２の態様は、読み書き可能なＩＣチップを有するバリュー情報記録媒体に対して非接触で情報を処理する非接触型端末装置において、前記バリュー情報記録媒体と電磁誘導あるいは電磁結合により無線通信し、ＩＣチップとの間で情報の送受信を行うアンテナ部と、前記アンテナ部から送信される電磁気出力を、第１の処理を行うための第１の出力で送信する第１の出力手段と、前記アンテナ部から送信される電磁気出力を、第１の処理の後に実行される第２の処理を行うための第２の出力で送信する第２の出力手段とを備えたことを特徴とする非接触型端末装置にある。
【００１３】
第２の態様では、第１の処理を行うための第１の出力を送信する第１の出力手段と第２の処理を行うための第２の出力を送信する第２の出力手段とを備えているので、バリュー情報記録媒体に対して一連の動作の中で複数の処理を行うことができる。
【００１４】
本発明の第３の態様は、読み書き可能なＩＣチップを有するバリュー情報記録媒体に対して非接触で情報を処理する非接触型端末装置において、前記バリュー情報記録媒体と電磁誘導あるいは電磁結合により無線通信し、ＩＣチップとの間で情報の送受信を行うアンテナ部と、前記アンテナ部から送信される電磁気出力を、第１の処理を行う際には第１の出力に制御し、第１の処理の後に実行される第２の処理を行う際には第２の出力に制御する出力制御手段とを備えたことを特徴とする非接触型端末装置にある。
【００１５】
第３の態様では、第１の処理を行う際には出力制御手段により電磁気出力を第１の出力に制御し、第２の処理を行う際には出力制御手段により電磁気出力を第２の出力に制御するので、バリュー情報記録媒体に対して一連の動作の中で複数の処理を行うことができる。
【００１６】
本発明の第４の態様は、第２または第３の態様において、第１の出力の出力強度よりも第２の出力の出力強度が弱く設定されていることを特徴とする非接触型端末装置にある。
【００１７】
第４の態様では、バリュー情報記録媒体を近づけた時に第１の処理が行われ、更に近づけた時に第２の処理が行われる。
【００１８】
本発明の第５の態様は、第２から第４のいずれかに態様において、第１の処理を実行した後に第２の出力を送信した際に所定時間の間第２の処理が実行されない場合には、第１の出力に切り換える機能を備えたことを特徴とする非接触型端末装置にある。
【００１９】
第５の態様では、第１の処理が行われた後に所定時間経過しても第２の処理が行われない場合には第１の処理を行う出力に切り換えられるので、新たに第１の処理が実施可能になる。
【００２０】
本発明の第６の態様は、読み書き可能なＩＣチップを有するバリュー情報記録媒体に対して非接触で情報を処理する非接触型端末装置において、前記バリュー情報記録媒体と電磁誘導あるいは電磁結合により無線通信し、ＩＣチップとの間で情報の送受信を行うアンテナ部と、前記アンテナ部に送信出力を供給する出力手段と、前記アンテナ部からの受信入力を検知する入力手段と、前記出力手段が前記アンテナ部に供給する出力を可変制御する出力制御手段と前記入力手段で検知した受信入力に基づいて、第１の処理もしくは第２の処理を実行する制御手段とを備え、前記出力制御手段は、前記出力手段が前記アンテナ部に供給する出力を、第１の出力もしくは第２の出力に制御し、前記アンテナ部に供給する出力を第１の出力に制御した後に、前記制御手段が前記入力手段によって検知された受信入力に基づいた第１の処理を実行した場合、前記出力手段が前記アンテナ部に供給する出力を前記入力手段が受信入力を検知できなくなる第２の出力に制御し、前記制御部は、前記出力制御手段が前記アンテナ部に供給する出力を第２の出力に制御した後に、前記入力手段によって検知された受信入力に基づいて、第２の処理を実行することを特徴とする非接触型端末装置にある。
【００２１】
第６の態様では、バリュー情報記録媒体を近づけた時に第１の処理が行われ、その後入力手段が受信入力を検知できなくなる第２の出力に制御されるため、再び前記入力手段が受信入力を検知されるように更に近づけた時に第２の処理が行われる。
【００２２】
本発明の第７の態様は、第６の態様において、出力制御手段は、前記アンテナ部が第２の出力を送信した際に所定時間の間入力手段が受信入力を検知しない場合には、第１の出力に切り換える機能を有する出力制御手段であることを特徴とする非接触型端末装置にある。
【００２３】
第７の態様では、第１の処理が行われた後に所定時間経過しても受信入力を検知しない場合には、第２の処理には移行せずに第１の処理を行う出力に切り換えられるので、新たに第１の処理が実施可能になる。
【００２４】
本発明の第８の態様は、第２から第７のいずれかの態様において、前記第１の処理は前記バリュー情報記録媒体の内容の読み取り処理であり、前記第２の処理はは前記バリュー情報記録媒体の内容への書き込みを含む処理であることを特徴とする非接触型端末装置にある。
【００２５】
第８の態様では、バリュー情報記録媒体の内容の読み出しとさらに書き込みを実施することができる。
【００２６】
本発明の第９の態様は、第２から第７のいずれかの態様において、前記バリュー情報記録媒体は決済メディアであり、前記第１の処理は前記決済メディアの内容の確認処理であり、前記第２の処理は決済処理であることを特徴とする非接触型端末装置にある。
【００２７】
第９の態様では、残高確認と決済処理を実施することができる。
【００２８】
本発明の第１０の態様は、第１から第９のいずれかの態様において、前記ＩＣチップとの間で通信する情報は少なくとも金額を含む情報であることを特徴とする非接触型端末装置にある。
【００２９】
第１０の態様では、金額を含む情報の処理に適用することができる。
【発明の効果】
【００３０】
本発明の非接触型端末装置は、バリュー情報記録媒体に対して一連の動作の中で複数の処理を行うことができる。また一連の動作の中で複数の、バリュー情報記録媒体に対してでも複数の処理を行うことができる。
【発明を実施するための最良の形態】
【００３１】
図１には本発明の一実施形態例に係る非接触型端末装置の外観、図２には図１中のＩＩ−ＩＩ線矢視、図３には本発明の一実施形態例に係る非接触型端末装置の概略ブロック構成、図４、図５には基本となる通信系統の概略ブロック、図６、図７、図８、図９には処理動作のフローを示してある。
【００３２】
図１乃至図３に示すように、本実施形態では、非接触型端末装置１は、かざしユニット１０及び端末本体ユニット１５により構成されている。かざしユニット１０は、表面にＩＣカード３が接近される読み取り面５と、ＩＣチップ２との間で情報を無線通信可能なアンテナ部としてのアンテナ基板７を有する無線通信部８とを備えている。端末本体ユニット１５は、無線通信部８の作動を制御すると共にアンテナ基板７を介してＩＣチップ２のデータ処理及び記録を行う決済モジュール１１と、アンテナ基板７から送信される電磁気出力を時間軸方向で動的に変化させると共に（変動手段）、非接触型端末装置１を統合的に制御する制御部１２とを備えている。
【００３３】
本実施形態の非接触型端末装置１は、かざしユニット１０と端末本体ユニット１５とがケーブル１６により有線接続され、かざしユニット１０が端末本体ユニット１５から離間可能とされている。尚、かざしユニット１０及び端末本体ユニット１５を一体に形成することも可能である。
【００３４】
図２に示すように、本実施形態では、かざしユニット１０はプラスチック製のケース２０を有し、ケース２０は載置面に載置可能な下部ケース２１と載置面に対して所定の傾斜角度（例えば、３０度の傾斜角度）をもって下部ケース２１の上側に嵌合する上部ケース２２とから構成されている。そして、図１及び図２に示すように、上部ケース２２の表面の一部が読み取り面５とされている。
【００３５】
読み取り面５には、本実施形態では、光をＩＣカード３の外形に応じた形状、例えば、長方形状で読み取り面５の表面に発光させる光面２３が形成され、光面２３はアンテナ基板７の周囲を一周囲むようにスリット状に形成されている。上部ケース２２は、光面２３以外の領域が光学的に遮光されている。尚、光面で発光させる光の形状は本実施形態の形状に制限されるものでは無く、また、光面も必ずしも必要なものでは無い。
【００３６】
アンテナ基板７は、例えば、表面に送信用のコイルパターンと、受信用のコイルパターンとが隣接するように形成され、配線により、図２に示すＲＦ基板２８に電気的に接続されている。ＲＦ基板２８には送受信部２９が実装され、送受信部２９とアンテナ基板７とで無線通信部８が構成されている。
【００３７】
図１乃至図３に示すように、かざしユニット１０は、ＩＣチップ２の内容を表示する表示部３０及び読み取り面５近傍から音声を出力するスピーカ３１を備えている。表示部３０は上部ケース２２の表面で光面２３に隣接するように設けられ、表示部３０はＩ／Ｏモジュール２６を介して回路基板２７に電気的に接続されている。スピーカ３１は上部ケース２２の表面で表示部３０に隣接するように形成された音孔３２を介して音声を出力できるようになっており、表示部３０と同様にスピーカ３１はＩ／Ｏモジュール２６を介して回路基板２７に電気的に接続されている。また、スピーカ３１は、制御部１２からの制御信号に応じて異なる音声を出力するように制御されている。尚、音声の出力は本実施形態の構成に制限されるものでは無く、また、必ずしも必要なものでは無い。
【００３８】
図１、図３に示すように、端末本体ユニット１５は載置面に載置可能であると共に、本実施形態では、載置面に対して所定の傾斜角度（例えば、３０度の傾斜角度）を有するプラスチック製のケース３５を有しており、ケース３５内に決済モジュール１１及び制御部１２を備えている。
【００３９】
また、端末本体ユニット１５は、金額等の情報を入力可能な複数のボタンからなる操作キー３６を備え、操作キー３６により入力された情報やＩＣチップ２内のデータ等の各種情報を表示する表示部３７を備えている。例えば、操作キー３６により決済処理開始が指示される。更に、表示部３７により表示された情報を紙に印刷可能なプリンタ部３８を備え、決済モジュール１１内に記録されている情報を外部機関と接続送信可能な通信手段、例えば、モデム部３９を備えている。
【００４０】
尚、モデム部３９は、外部機関に直接設置された通信送受信用のモデムと接続通信して送信する以外に、第３者機関を経由してＩＰ網に接続し、インターネット等の通信手段を介して外部機関に送信することも可能である。
【００４１】
表示部３７、プリンタ部３８及びモデム部３９は、操作キー３６からの入力に応じて制御部１２で統合的に制御されるようになっている。また、決済モジュール１１はケーブル１６を介してＲＦ基板２８と電気的に接続され、制御部１２はケーブル１６を介して回路基板２７と電気的に接続されている。制御部１２はスピーカ３１に音声を出力する機能を有している。
【００４２】
このように構成された非接触型端末装置１を利用して、ＩＣカード３により電子マネー決済やクレジット決済のような電子決済を行う場合について説明する。
【００４３】
操作キー３６より電源ボタンをＯＮにすることで、各機能がそれぞれ正常であるか否かの自己診断（セルフテスト）が実施される。例えば、かざしユニット１０と端末本体ユニット１５との接続状態が正常であるか確認したり、決済モジュール１１自身が自己の機能が正常であるか診断を行う。尚、セルフテストは、診断内容だけに限らず任意に設定することが可能である。また、セルフテストを行なっている間は、端末本体ユニット１５の表示部３７に、例えば、「自己診断中」といった表示がされるようになっている。
【００４４】
セルフテストの結果、異常又は故障と判断された場合には、端末本体ユニット１５の表示部３７に「エラー」の表示がされる。これを受けて非接触型端末装置１の操作者は、ケーブル１６等の電気的な接続状態を確認したり、故障個所の探求等の所定処置を施す。一方、正常と判断した場合には、操作キー３６からの入力待ち状態となる。この時点で操作キー３６の電源ボタンをＯＦＦにすることで、電源を遮断することができる。
【００４５】
ＩＣカード３の保持者が、例えば、１０００円の値段の品物を購入する場合、操作キー３６の操作者は１０００円の金額情報を操作キー３６で入力する。制御部１２は、操作者からの指示がどういう指示かどうか、即ち、操作キー３６からの入力信号がどういう信号であるのか処理判断を行うと共にその判断に応じた制御を行う。例えば、上述した場合には、操作キー３６からの入力信号に対応して１０００円の決済処理を行うよう決済モジュール１１に信号を送る。また、操作キー３６からの入力信号が電源ＯＦＦの信号であるならば終了処理を実行し、操作キー３６からの入力信号が端末本体ユニット１５の各種設定や管理を行う旨の信号であるならば設定／管理処理を実行する。
【００４６】
制御部１２が決済処理を行うと判断した場合、制御部１２は入力された金額を端末本体ユニット１５の表示部３７に表示させる。操作者は、表示部３７に表示された金額により正確な入力が行なわれたことを確認した後、操作キー３６により確認ボタンを押す。これを受けて制御部１２は、決済モジュール１１に金額情報を送信する。また、光面２３から光を点灯させるように、ケーブル１６及び回路基板２７を介して制御信号を送る。一方、決済モジュール１１は、金額情報が入力されると送受信部２９を待機状態にさせ、アンテナ基板７からの入力待ち状態となる。
【００４７】
ＩＣカード３の保持者は、光面２３を介して、点滅する光の誘導により、ＩＣカード３を読み取り面５に容易にかざすことができる。ＩＣカード３が読み取り面５にかざされると、送受信部２９は、アンテナ基板７を介してＩＣカード３のＩＣチップ２に記録されている情報を無線通信して読み取ると共に決済モジュール１１に送信する。決済モジュール１１は、送られてきたＩＣチップ２のデータ処理を行う。
【００４８】
即ち、ＩＣチップ２に記録されている貯蓄金額（残高）を表示させると共に、残高から操作キー３６で入力した１０００円分の金額を引き、新たな貯蓄金額（残高）を計算して決済処理を行う。決済処理終了後、送受信部２９及びアンテナ基板７を介して新たな貯蓄金額をＩＣチップ２に書き込む（上書きする）。また、同時に決済モジュール１１は、決済が正常に終了したことを制御部１２に知らせる。終了は音や光で知らせることができる。
【００４９】
一方、制御部１２は、かざしユニット１０の表示部３０と同様に、決済した購入金額、即ち、操作キー３６で入力した金額及び新たな貯蓄金額を決済結果として、端末本体ユニット１５の表示部３７に表示させる。操作者は、この表示部３７の表示を再度確認した後、決済結果をプリンタ部３８によりプリントアウトする。
【００５０】
尚、この決済結果のプリントは、操作者の控えとされると共に保持者への領収書等として利用される。また、表示部３７に決済結果を表示させると同時に、決済結果をプリンタ部３８により自動的にプリントアウトさせるように、制御部１２を設定しても構わない。決済が正常に終了せずに、例えば、何らかの理由、例えば、通信不良等により決済異常が生じた場合には、音や光で決済異常を知らせることができる。
【００５１】
また、決済モジュール１１に記録されたＩＣチップ２のデータは、操作者によって定期的に、例えば、毎日夕方に一回外部機関にデータ送信を行うことができる。即ち、モデム部３９により、外部機関に設置された図示しない通信受信用のモデムと通信接続してデータ送信することが可能である。尚、上述したように、モデム部３９から第３者機関を経由してＩＰ網に接続し、インターネット等の通信手段を介して送信しても構わない。例えば、ＩＣカード３にクレジット機能が付加されている場合、モデム部３９を用いて通信手段によりセンターと通信を行い、電子マネー決済やクレジット決済のような電子決済を行うことができる。
【００５２】
図４、図５に示すように、非接触型端末装置１とＩＣカード３との間は電磁誘導あるいは電磁結合により無線通信されるようになっている。
【００５３】
図４に示すように、非接触型端末装置１は制御回路４１及び送信回路４２及び出力切換手段４５を備え、アンテナ部４３（アンテナ基板７に相当）から信号を出力するようになっている。アンテナ部４３はＩＣカード３のアンテナ部４４と信号のやり取りが実施され、ＩＣカード３の制御部４６からの情報が受信されて受信回路４７を介して制御回路４１に送られる。
【００５４】
出力切換手段４５は、例えば、図示しない電源の電圧を変化させることで、電磁出力が強い状態と弱い状態とに切り換えるもので（第１出力手段、第２出力手段）、ＩＣカード３との間で第１の処理の実行を要求する際には強い状態に切り替えられ、ＩＣカード３との間で第２の処理の実行を要求する際には弱い状態に切り替えられる。尚、出力切換手段４５による切り換えは、３種類以上の出力に切り換えるようにすることも可能である。
【００５５】
具体的には、電磁出力が強い状態（例えば、５ｃｍから７ｃｍ程度の距離でＩＣカード３を捕捉できる強さ）のときには、第１の処理として残高確認を行って残高の表示を行い、第１の処理の後に出力を弱くする（例えば、２ｃｍから３ｃｍ程度の距離に近づけないとＩＣカード３を捕捉できない強さ）。これにより、非接触型端末装置１側は一端誘導電磁界が少なくなってＩＣカード３と通信ができなくなるため、ＩＣカード３の捕捉が自動的に切断され、非接触型端末装置１は決済処理に移行する。ＩＣカード３が更に近づけられれば再度捕捉距離に入り第２の処理である決済処理が実行される。
【００５６】
残高確認を必要としない場合に、ＩＣカード３を一気に近づけても一連の動作は瞬時に切り換えられるので、違和感なく決済処理を実行することができる。
【００５７】
尚、第１の処理として残高表示処理を適用し、第２の処理として決済処理を適用した例を挙げたが、第１の処理と第２の処理は残高表示処理及び決済処理の他にも様々な処理を適用することができる。例えば、各種イベント等の予約・決済の確認処理とイベント参加の登録処理等、バリュー保持メディアの形態に応じて様々な処理を適用することができる。
ＩＣカード３への処理に関しては、例えば、第１の処理と第２の処理は読み出しだけの処理と書き込みを伴う処理として適用することも可能である。
【００５８】
図５に示すように、非接触型端末装置１は制御回路４１及び送信回路４２及び出力制御部１０１を備え、アンテナ部４３（アンテナ基板７に相当）から信号を出力するようになっている。アンテナ部４３はＩＣカード３のアンテナ部４４と信号のやり取りが実施され、ＩＣカード３の制御部４６からの情報が受信されて受信回路４７を介して制御回路４１に送られる。
【００５９】
出力制御部１０１は、例えば、送信回路４２の増幅率を変化させることで、電磁出力が強い状態から弱い状態に連続的に切り換えることを可能とするもので、ＩＣカード３との間で第１の処理の実行を要求する際と第２の処理の実行を要求する際とで増幅率を異ならせることができる。
【００６０】
具体的には、増幅率を高くし電磁出力が強い状態（例えば、５ｃｍから７ｃｍ程度の距離でＩＣカード３を捕捉できる強さ）に制御し、第１の処理として残高確認を行って残高の表示を行い、第１の処理の実行後に制御回路４１は受信回路４７の出力をモニターしながら出力制御部１０１を介して送信回路４２の増幅率を弱く変化させ、制御回路４１が受信回路４７の出力からＩＣカード３の捕捉ができなくなる時点で出力制御部１０１を介して送信回路４２の増幅率を確定する（例えば、３ｃｍから４ｃｍ程度の距離に近づけないとＩＣカード３を捕捉できない強さに制御される）。その後、非接触型端末装置１は決済処理に移行する。ＩＣカード３が更に近づけられれば再度捕捉距離に入り第２の処理である決済処理が実行される。
【００６１】
残高確認を必要としない場合に、ＩＣカード３を一気に近づけても一連の動作は瞬時に切り換えられるので、違和感なく決済処理を実行することができる。
【００６２】
尚、第１の処理として残高表示処理を適用し、第２の処理として決済処理を適用した例を挙げたが、第１の処理と第２の処理は残高表示処理及び決済処理の他にも様々な処理を適用することができる。例えば、各種イベント等の予約・決済の確認処理とイベント参加の登録処理等、バリュー保持メディアの形態に応じて様々な処理を適用することができる。
【００６３】
ＩＣカード３への処理に関しては、例えば、第１の処理と第２の処理は読み出しだけの処理と書き込みを伴う処理として適用することも可能である。
【００６４】
図６および図７に基づいて残高の表示及び決済処理の動作の例を説明する。
【００６５】
図６に示すように、ステップＳ１で電磁出力が強い状態の出力強とし、ステップＳ２でＩＣカード３の捕捉が開始される。ステップＳ３でＩＣカード３が捕捉されたか否かが判断され、捕捉されていない場合には捕捉の判断が繰り返される。ステップＳ３でＩＣカード３が捕捉されたと判断された場合、ステップＳ４で残高表示の処理が実行される。残高表示の処理が実行された後、ステップＳ５で電磁出力が弱い状態の出力弱とされる。この時点で、ＩＣカード３と通信が一端切断される。
【００６６】
ステップＳ６でＩＣカード３の再補足が開始され、ステップＳ７でＩＣカード３が再捕捉されたか否かが判断され、再捕捉されていない場合には再捕捉の判断が繰り返される。ステップＳ７でＩＣカード３が再捕捉されたと判断された場合、ステップＳ８で決済処理が実行される。ＩＣカード３が再補足されない場合が継続すると、操作キー３６（図１参照）の操作により、残高表示の処理が実行された時点でＩＣカード３に対する処理が終了し、図６の処理がキャンセルされる。
【００６７】
従って、例えば、複数のＩＣカード３を所有する使用者が、意図しないＩＣカード３をかざして残高不足を認識すると、新たなＩＣカード３を使用して所望のＩＣカード３の残高の確認及び決済を行うことができる。最初から意図したＩＣカード３をかざした場合には、ＩＣカード３が再捕捉されるように近づけることでそのまま決済処理が実行される。このため、一連の動作の中で複数のＩＣカード３に対してでも残高の表示処理と決済処理を行うことができる。
【００６８】
図７に示すように、ステップＳ２１で増幅率を高くし電磁出力が強い状態の出力強とし、ステップＳ２２でＩＣカード３の捕捉が開始される。ステップＳ２３でＩＣカード３が捕捉されたか否かが判断され、捕捉されていない場合には捕捉の判断が繰り返される。ステップＳ２３でＩＣカード３が捕捉されたと判断された場合、ステップＳ２４で残高表示の処理が実行される。残高表示の処理が実行された後、ステップＳ２５で増幅率を低い方向に変化させ電磁出力を弱い方向に変化させる。ステップＳ２０でＩＣカード３の捕捉を確認し、捕捉している場合はステップＳ２５に戻り増幅率をさらに低い方向に変化させ電磁出力をさらに弱い方向に変化させ、再びステップＳ２０でＩＣカード３の捕捉を確認する。
【００６９】
ステップＳ２５とステップＳ２０を繰り返し、ＩＣカード３の捕捉ができなくなったらステップステップＳ２６でＩＣカード３の再補足が開始される。ここではステップＳ２０でＩＣカード３の捕捉はできなくなっているので、ＩＣカード３と非接触型端末装置１との間の相互関係に変化が無い場合にはステップＳ２６でのＩＣカード３の再補足を開始しても再捕捉されることは無く、相互関係に変化が発生した場合、具体的には、例えば相互の距離が変化した場合（ＩＣカード３が非接触型端末装置１にさらに近づいた場合）に再捕捉されることになる。
【００７０】
ステップＳ２６でＩＣカード３の再補足が開始され、ステップＳ２７でＩＣカード３が再捕捉されたか否かが判断され、再捕捉されていない場合には再捕捉の判断が繰り返される。ステップＳ２７でＩＣカード３が再捕捉されたと判断された場合、ステップＳ２８で決済処理が実行される。ＩＣカード３が再補足されない場合が継続すると、操作キー３６（図１参照）の操作により、残高表示の処理が実行された時点でＩＣカード３に対する処理が終了し、図７の処理がキャンセルされる。
【００７１】
従って、例えば、複数のＩＣカード３を所有する使用者が、意図しないＩＣカード３をかざして残高不足を認識すると、新たなＩＣカード３を使用して所望のＩＣカード３の残高の確認及び決済を行うことができる。最初から意図したＩＣカード３をかざした場合には、ＩＣカード３が再捕捉されるように近づけることでそのまま決済処理が実行される。このため、一連の動作の中で複数のＩＣカード３に対してでも残高の表示処理と決済処理を行うことができる。
【００７２】
図８および図９に基づいて残高の表示及び決済処理の動作の他の実施形態を説明する。
【００７３】
図８および図９に示した例は、電磁出力を出力弱とした後に所定時間ＩＣカード３が再補足できない場合には、電磁出力を出力強に戻して残高確認の処理に移行するようにしたものである。これにより、一連の動作の中で自動的に複数のＩＣカード３に対して次々に残高確認を行い、使用するＩＣカード３を選んで決済することができる。
【００７４】
図８に示すように、ステップＳ１１で電磁出力が強い状態の出力強とし、ステップＳ１２でＩＣカード３の捕捉が開始される。ステップＳ１３でＩＣカード３が捕捉されたか否かが判断され、捕捉されていない場合には捕捉の判断が繰り返される。ステップＳ１３でＩＣカード３が捕捉されたと判断された場合、ステップＳ１４で残高表示の処理が実行される。残高表示の処理が実行された後、ステップＳ１５で電磁出力が弱い状態の出力弱とされる。この時点で、ＩＣカード３と通信が一端切断される。
【００７５】
ステップＳ１６でＩＣカード３の再補足が開始され、ステップＳ１７でＩＣカード３が再捕捉されたか否かが判断される。ステップＳ１７でＩＣカード３が再捕捉されたと判断された場合、ステップＳ１８で決済処理が実行される。
【００７６】
一方、ステップＳ１７でＩＣカード３が再捕捉されないと判断された場合、ステップＳ１９で一定時間が経過したか否かが判断される。ステップＳ１９で一定時間が経過していないと判断された場合、ステップＳ１７でＩＣカード３の再捕捉の判断が繰り返される。ステップＳ１９で一定時間が経過したと判断された場合、ステップＳ１１に移行して電磁出力が強い状態の出力強に戻し、別のＩＣカード３の捕捉（同じＩＣカード３の残高の再確認の場合もある）に備える。
【００７７】
従って、例えば、複数のＩＣカード３を所有する使用者が、意図しないＩＣカード３をかざして残高不足を認識すると、新たなＩＣカード３を使用して所望のＩＣカード３の残高の確認及び決済を次々に行うことができる。図６で示した場合と同様に、最初から意図したＩＣカード３をかざした場合には、ＩＣカード３が再捕捉されるように近づけることでそのまま決済処理が実行される。このため、一連の動作の中で複数のＩＣカード３に対してでも次々に残高の表示処理を行い、使用するＩＣカード３を選んで決済処理を行うことができる。
【００７８】
上述した非接触型端末装置では、電磁気出力を第１の処理及び第２の処理に対応して第１の出力と、第１の出力よりも弱い第２の出力になるようにしたので、一連の動作の中でＩＣカード３に対して残高の表示処理と決済処理を行うことができ、さらに、複数のＩＣカード３に対してでも一連の動作の中で残高の表示処理と決済処理を行うことが可能となる。
【００７９】
図９に示すように、ステップＳ３１で増幅率を高くし電磁出力が強い状態の出力強とし、ステップＳ３２でＩＣカード３の捕捉が開始される。ステップＳ３３でＩＣカード３が捕捉されたか否かが判断され、捕捉されていない場合には捕捉の判断が繰り返される。ステップＳ３３でＩＣカード３が捕捉されたと判断された場合、ステップＳ３４で残高表示の処理が実行される。残高表示の処理が実行された後、ステップＳ３５で増幅率を低い方向に変化させ電磁出力を弱い方向に変化させる。ステップＳ３０でＩＣカード３の捕捉を確認し、捕捉している場合はステップＳ３５に戻り増幅率をさらに低い方向に変化させ電磁出力をさらに弱い方向に変化させ、再びステップＳ３０でＩＣカード３の捕捉を確認する。
ステップＳ３５とステップ３０を繰り返し、ＩＣカード３の捕捉ができなくなったらステップステップＳ３６でＩＣカード３の再補足が開始される。ステップＳ３７でＩＣカード３が再捕捉されたか否かが判断され、再捕捉されていない場合には再捕捉の判断が繰り返される。ステップＳ３７でＩＣカード３が再捕捉されたと判断された場合、ステップＳ３８で決済処理が実行される。
【００８０】
一方、ステップＳ３７でＩＣカード３が再捕捉されないと判断された場合、ステップＳ３９で一定時間が経過したか否かが判断される。ステップＳ３９で一定時間が経過していないと判断された場合、ステップＳ３７でＩＣカード３の再捕捉の判断が繰り返される。ステップＳ３９で一定時間が経過したと判断された場合、ステップＳ３１に移行して増幅率の高い電磁出力が強い状態の出力強に戻し、別のＩＣカード３の捕捉（同じＩＣカード３の残高の再確認の場合もある）に備える。
【００８１】
従って、例えば、複数のＩＣカード３を所有する使用者が、意図しないＩＣカード３をかざして残高不足を認識すると、新たなＩＣカード３を使用して所望のＩＣカード３の残高の確認及び決済を次々に行うことができる。図７で示した場合と同様に、最初から意図したＩＣカード３をかざした場合には、ＩＣカード３が再捕捉されるように近づけることでそのまま決済処理が実行される。このため、一連の動作の中で複数のＩＣカード３に対してでも次々に残高の表示処理を行い、使用するＩＣカード３を選んで決済処理を行うことができる。
【００８２】
上述した非接触型端末装置では、電磁気出力を第１の処理及び第２の処理に対応して出力を変化できるようにしたので、一連の動作の中でＩＣカード３に対して残高の表示処理と決済処理を行うことができ、さらに、複数のＩＣカード３に対してでも一連の動作の中で残高の表示処理と決済処理を行うことが可能となる。
【産業上の利用可能性】
【００８３】
本発明は、ＩＣチップを有するＩＣカード等のバリュー保持メディアに対して非接触状態で通信を行い、ＩＣチップの読み取り及び書き込みを行う非接触型端末装置の産業分野で利用することができる。
【図面の簡単な説明】
【００８４】
【図１】本発明の一実施形態例に係る非接触型端末装置の外観図である。
【図２】図１中のＩＩ−ＩＩ線矢視図である。
【図３】本発明の一実施形態例に係る非接触型端末装置の概略ブロック構成図である。
【図４】基本となる通信系統の概略ブロック構成図である。
【図５】基本となる通信系統の概略ブロック構成図である。
【図６】処理動作のフローチャートである。
【図７】処理動作のフローチャートである。
【図８】処理動作のフローチャートである。
【図９】処理動作のフローチャートである。
【符号の説明】
【００８５】
１  非接触型端末装置
２  ＩＣチップ
３  ＩＣカード（バリュー保持メディア）
５  読み取り面
７  アンテナ基板（アンテナ部）
８  無線通信部
１０  かざしユニット（読み取り部）
１１  決済モジュール（データ処理蓄積部）
１２  制御部
１５  端末本体ユニット（端末本体部）
２０  ケース
２１  下部ケース
２２  上部ケース
２３  光面
２６  Ｉ／Ｏモジュール
２７  回路形成基板
２８  ＲＦ基板
３０、３７  表示部
３１  スピーカ
３６  操作キー
３８  プリンタ部
３９  モデム部
４１  制御回路
４２  送信回路
４３、４４  アンテナ部
４５  出力切換手段
４６  制御部
４７  復調回路
１０１  出力制御部
【図１】
2006262455.tif 000003
【図２】
2006262455.tif 000004
【図３】
2006262455.tif 000005
【図４】
2006262455.tif 000006
【図５】
2006262455.tif 000007
【図６】
2006262455.tif 000008
【図７】
2006262455.tif 000009
【図８】
2006262455.tif 000010
【図９】
2006262455.tif 000011